【事件の表示】
　特願２０１５−２１３７０号「遊技機および遊技用装置」拒絶査定不服審判事件〔平成２８年８月８日出願公開、特開２０１６−１４０７１２号〕について、次のとおり審決する。
【結　論】
　本件審判の請求は、成り立たない。
【理　由】
第１　手続の経緯の概要
　本願は、平成２７年２月５日の出願であって、平成２９年１月５日付けで拒絶の理由が通知され、同年３月６日に意見書及び手続補正書が提出され、同年５月８日付けで最後の拒絶の理由が通知され、同年７月１１日に意見書及び手続補正書が提出されたところ、同年７月１１日付け手続補正について、同年８月２４日付け（発送日：同年８月２９日）で補正却下の決定がなされるとともに拒絶査定がなされ、それに対して、同年１１月２１日に拒絶査定不服審判の請求がなされると同時に手続補正がなされたものである。
　
第２　平成２９年１１月２１日付けの手続補正についての補正却下の決定
　平成２９年１１月２１日付けの手続補正（以下「本件補正」という。）を却下する。
　
［理由］
　１　補正の内容
　本件補正により、平成２９年３月６日付け手続補正書の特許請求の範囲の請求項１〜６のうち、請求項２における
「遊技を行う遊技機であって、
　複数の発光手段と、
　前記発光手段の発光を制御する発光制御手段とを備え、
　前記発光手段は、
　　赤、緑、青のそれぞれの光を発する複数の発光素子がそれぞれを頂点に三角形を形成するように配置されている第１発光手段と、
　　赤、緑、青のそれぞれの光を発する複数の発光素子が一方向に並ぶように配置されている第２発光手段とを含み、
　前記発光制御手段は、複数の前記発光手段を接続することができる接続端子を有し、
　前記接続端子において直列に接続された前記発光手段の数に応じて、前記発光手段に供給される電圧が異なる、遊技機。」は、
　
　審判請求時に提出された手続補正書（平成２９年１１月２１日付け）の特許請求の範囲の請求項１における
「遊技を行う遊技機であって、
　
可動部材に用いられる
　前記発光手段の発光を制御する発光制御手段とを備え、
　前記発光手段は、
　　赤、緑、青のそれぞれの光を発する複数の発光素子がそれぞれを頂点に三角形を形成するように配置され
、実装される基板への実装面に対して交差する方向に光を照射する
　　赤、緑、青のそれぞれの光を発する複数の発光素子が一方向に並ぶように配置され、
実装される基板への実装面に対して沿う方向に光を照射する
　前記発光制御手段は、複数の前記発光手段を接続することができる接続端子を有し、
　前記接続端子において直列に接続された前記発光手段の数に応じて、前記発光手段に供給される電圧が異なる、遊技機。」に補正された（下線は、補正箇所を明示するために当審にて付した。）。
　
　２　補正の適否
　本件補正は、補正前の請求項１〜６のうち、請求項１、３〜４、６を削除し、請求項２を補正後の請求項１とし、請求項５を補正後の請求項２とし、その上で、補正後の請求項１に記載した発明を特定するために必要な事項である「複数の発光手段」について、「
可動部材に用いられる
　補正後の請求項１に記載した発明を特定するために必要な事項である「第１発光手段」について、「
実装される基板への実装面に対して交差する方向に光を照射する
　補正後の請求項１に記載した発明を特定するために必要な事項である「第２発光手段」について、「
実装される基板への実装面に対して沿う方向に光を照射する
　
　そして、補正後の請求項１に係る発明は、補正前の請求項２に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書、特許請求の範囲又は図面の段落【０１０６】〜【０１０７】、【０１４９】、【０１５１】等の記載からみて、新規事項を追加するものではない。
　
　３　独立特許要件
　そこで、本件補正後の請求項１に係る発明（以下「本件補正発明」という。）が特許出願の際に独立して特許を受けることができるものであるか、すなわち、特許法第１７条の２第６項において準用する同法第１２６条第７項の規定に適合するかについて、以下に検討する。
　（１）本件補正発明
　本件補正発明は、次のとおりのものであると認める（記号Ａ〜Ｆは、分説するため当審で付した。）。
「Ａ　遊技を行う遊技機であって、
Ｂ　可動部材に用いられる複数の発光手段と、
Ｃ　前記発光手段の発光を制御する発光制御手段とを備え、
Ｄ　前記発光手段は、
Ｄ１　赤、緑、青のそれぞれの光を発する複数の発光素子がそれぞれを頂点に三角形を形成するように配置され、実装される基板への実装面に対して交差する方向に光を照射する第１発光手段と、
Ｄ２　赤、緑、青のそれぞれの光を発する複数の発光素子が一方向に並ぶように配置され、実装される基板への実装面に対して沿う方向に光を照射する第２発光手段とを含み、
Ｅ　前記発光制御手段は、複数の前記発光手段を接続することができる接続端子を有し、
Ｆ　前記接続端子において直列に接続された前記発光手段の数に応じて、前記発光手段に供給される電圧が異なる、遊技機。」
　
　（２）刊行物について
　（２−１）刊行物１に記載された事項
　平成２９年８月２４日付け補正却下の決定において引用された、本願の出願前に頒布された刊行物である特開２００６−８７５７２号公報（以下「刊行物」という。）には、図面と共に次の事項が記載されている。
　
　・記載事項
　　ア　「【技術分野】
【０００１】
　本発明は、ＬＥＤから電飾カバーに照明光を投射することに基いて電飾カバーを発光させる電飾装置に関する。
・・・
【発明が解決しようとする課題】
【０００３】
　上記電飾装置においては、ＬＥＤ２０２としてＬＥＤ基板２０１に対して照明光を垂直に投射するトップビュータイプのものを使用している。このため、電飾カバー２００の全体を均一に照明しようとしたときには多数のＬＥＤ２０２が必要になるので、コスト的に不利である。
　本発明は上記事情に鑑みてなされたものであり、その目的は、
電飾カバーを少数のＬＥＤで均一に照明することができる電飾装置を提供する
　
　　イ　「【００１６】
　窓枠１０には、図１に示すように、電飾装置に相当する複数の電飾器３２が固定されている。これら
各電飾器３２は物語り調のアニメーション画面を光で演出する演出器に相当する
　窓枠１０には、図４に示すように、真円形状のＬＥＤ基板３３が固定されており、ＬＥＤ基板３３には透明なＬＥＤカバー３４が固定されている。このＬＥＤカバー３４は電飾カバーに相当するものであり、窓枠１０の開口部３５を通して前方に突出している。このＬＥＤカバー３４は真円形状をなすものであり、ＬＥＤカバー３４の中心点ＣＰ１はＬＥＤ基板３３の中心点ＣＰを通る直交線上に配置されている。
【００１７】
　ＬＥＤ基板３３にはフルカラーのトップＬＥＤ４０が搭載されている。このトップＬＥＤ４０は第２のＬＥＤに相当するものであり、ＬＥＤ基板３３の中心点ＣＰ上に配置されている。この
トップＬＥＤ４０はＬＥＤ基板
に対して直交する照明光をＬＥＤカバー
の中心点
に向って投射する
トップＬＥＤ４０の
構成
【００１８】
　
パッケージ４１には
赤色系ＬＥＤ素子４７
緑色系ＬＥＤ素子４８
青色系ＬＥＤ素子４９
・・・
【００２０】
　Ｒリードフレーム４３〜Ｂリードフレーム４５およびＲリードフレーム５０〜Ｂリードフレーム５２には端子５４が折曲形成されている。これら各端子５４は基準面４２に対して面一な平面状の接続面５５を有するものであり、各接続面５５はパッケージ４１の基準面４２をＬＥＤ基板３３の表面に押当てた状態で印刷パターンに半田付けされている。
　
パッケージ４１には凹部５６が形成されており、赤色系ＬＥＤ素子４７〜青色系ＬＥＤ素子４９は凹部５６内に配置されている。
　
　　ウ　「【００２７】
　
メイン制御回路１００はゲーム内容を制御する
・・・
【００３３】
　電飾制御回路１１２は演出制御回路１０７から装飾図柄遊技データが送信されるものである。この電飾制御回路１１２は装飾図柄遊技データに基いて電飾的な演出内容を設定するものであり、演出内容を設定したときには演出内容の設定結果に応じた電飾データを設定し、電飾データの設定結果に基いて電飾信号を設定する。この
電飾制御回路１１２は電飾信号の設定結果をＬＥＤ回路１１３に送信する
ＬＥＤ回路１１３は複数の電飾器３２を電飾信号に応じた内容で発光させる
　
　　エ　「【実施例４】
【００４１】
　
窓枠１０には、
ガラス窓１２の外周部に位置して円環状のレンズ座１２０が形成されている。
レンズ座１２０には、
複数の電飾器３２が固定されている。以下、電飾器３２の詳細構成について説明する。
【００４２】
　レンズ座１２０には、図１０に示すように、透明なＬＥＤカバー１２１が固定されている。このＬＥＤカバー１２１は電飾カバーに相当するものであり、ＬＥＤカバー１２１には長方形状のＬＥＤ基板１２２が固定されている。このＬＥＤカバー１２１は電飾部に相当する板状のレンズ１２３を一体に有するものであり、レンズ１２３はレンズ座１２０の開口部１２４内に挿入されている。このレンズ１２３はレンズ座１２０に沿って傾斜するものであり、ＬＥＤ基板１２２はレンズ１２３に対して傾斜している。
【００４３】
　
ＬＥＤ基板１２２には
トップＬＥＤ４０が搭載されている。
ＬＥＤ基板１２２には
アングルＬＥＤ６０が搭載されている。
【００４４】
　
ＬＥＤ基板１２２に
サイドＬＥＤ１３０が搭載されている。
サイドＬＥＤ１３０はＬＥＤ基板１２２に対して平行な照明光をＬＥＤカバー１２１のレンズ１２３に照射する
サイドＬＥＤ１３０の
構成
【００４５】
　
パッケージ１３１には、
赤色系ＬＥＤ素子１３７
緑色系ＬＥＤ素子１３８
青色系ＬＥＤ素子１３９
・・・
【００４８】
　
パッケージ１３１には凹部１４６が形成されており、赤色系ＬＥＤ素子１３７〜青色系ＬＥＤ素子１３９は凹部１４６内に配置されている。
　
　　オ　「【００５２】
　上記実施例１〜実施例４においては、ＬＥＤカバー３４・ＬＥＤカバー８２・ＬＥＤカバー９２・ＬＥＤカバー１２１を透明樹脂から構成したが、これに限定されるものではなく、例えば半透明樹脂から構成しても良い。
　上記実施例１〜実施例４においては、本発明を
遊技機
　
　・認定事項
　　カ　【００４１】〜【００４８】に、電飾器３２に複数のＬＥＤが設けられていることが記載されている。
　そして、この記載に基づくと、【図３】には、電飾器３２を構成する複数のＬＥＤ３２が、各電飾器３２単位で、ＬＥＤ回路１１３に接続されることが図示されている。
　
　　キ　トップＬＥＤ４０を示す【図５】には、赤色系ＬＥＤ素子４７、緑色系ＬＥＤ素子４８、青色系ＬＥＤ素子４９が一直線上に配置されていることが示されている。
　
　　ク　サイドＬＥＤ１３０を示す【図１１】には、赤色系ＬＥＤ素子１３７、緑色系ＬＥＤ素子１３８、青色系ＬＥＤ素子１３９が一直線上に配置されていることが示されている。
　
　　ケ　上記ア〜オの記載事項、上記カ〜クの認定事項、及び、図面の図示内容を総合勘案すると、刊行物には、内部にトップＬＥＤ４０、アングルＬＥＤ６０、サイドＬＥＤ１３０が搭載されている電飾器を備える実施例４（【００４１】〜【００４８】）を中心に、次の発明（以下「刊行物発明」という。）が記載されていると認められる（ａ〜ｅは、本件補正発明のＡ〜Ｅに対応させて付与した。）。
「ａ　メイン制御回路１００によりゲーム内容が制御される遊技機であって（【００２７】、【００５２】）、
ｂ　ガラス窓１２の外周部に位置する、窓枠１０に形成される円環状のレンズ座１２０に固定され、トップＬＥＤ４０、アングルＬＥＤ６０、サイドＬＥＤ１３０を搭載するＬＥＤ基板１２２を有する複数の電飾器３２（【００４１】、【００４３】〜【００４４】）と、
ｃ　電飾信号の設定結果をＬＥＤ回路１１３に送信する電飾制御回路１１２と、物語り調のアニメーション画面を光で演出する演出器に相当する、複数の電飾器３２を電飾信号に応じた内容で発光させるＬＥＤ回路１１３（【００１６】、【００３３】）とを備え、
ｄ　ＬＥＤに、
ｄ１　赤色系ＬＥＤ素子４７、緑色系ＬＥＤ素子４８、青色系ＬＥＤ素子４９が、パッケージ４１に形成される凹部５６に一直線上に配置され（【００１７】〜【００１８】、【００２０】）、搭載されるＬＥＤ基板１２２に対して直交する照明光を、ＬＥＤカバーの中心点に向って投射するトップＬＥＤ４０（【００１７】、【００４３】、認定事項キ）と、
ｄ２　赤色系ＬＥＤ素子１３７、緑色系ＬＥＤ素子１３８、青色系ＬＥＤ素子１３９が、パッケージ１３１に形成される凹部１４６に一直線上に配置され（【００４４】、【００４５】、【００４８】、認定事項ク）、搭載されるＬＥＤ基板１２２に対して平行な照明光を、ＬＥＤカバー１２１のレンズ１２３に照射するサイドＬＥＤ１３０（【００４４】）とを含み、
ｅ　電飾器３２を構成する複数のＬＥＤが、各電飾器３２単位で、ＬＥＤ回路１１３に接続された（認定事項カ）
　パチンコ機。」
　
　（２−２）刊行物２に記載された事項
　平成２９年５月８日付け最後の拒絶の理由、及び、平成２９年８月２４日付け補正却下の決定において引用された、本願の出願前に頒布された刊行物である特開２０１３−１５８５９４号公報（以下「刊行物２」という。）には、図面と共に次の事項が記載されている（下線部は当審で付した。以下同様。）。
　
　・記載事項
　　ア　「【請求項１】
　遊技機の前面に設けられた発光装置と、
　前記発光装置の発光量の設定を変更可能な輝度設定手段と、
　
遊技の進行を管理する遊技制御手段
　前記遊技制御手段からの制御指令信号に基づいて、前記発光装置における発光制御を行う演出制御手段と、
を備えた遊技機において
　前記演出制御手段は、
　前記発光装置の発光量を規定する輝度データを含む演出データを記憶する演出データ記憶手段と、
　所定の更新タイミングとなった場合に、所定の輝度データ格納手段に格納されている前記輝度データに基づいて前記発光装置の発光制御をする発光制御手段と、
　前記輝度設定手段により設定された設定値に基づいて調整量を決定し、前記輝度データを調整する輝度調整手段と、を備え、
　前記輝度データを調整する範囲として第１の範囲と第２の範囲が設定されるとともに、前記第２の範囲には、第１の範囲よりも輝度の高い範囲が割り当てられ、
　前記輝度データが該第１の範囲又は第２の範囲のいずれかに位置するかによって前記輝度データの調整が異なり、
　前記輝度調整手段により前記輝度データを調整する前に、前記輝度データが第１の範囲に位置する場合には、前記調整量に基づく前記輝度データの調整を行わずに該輝度データを前記輝度データ格納手段に格納することを特徴とする遊技機。」
　
　　イ　「【発明が解決しようとする課題】
・・・
【０００５】
　本発明は上記の課題に鑑みてなされたもので、その目的とするところは、遊技者の操作によって発光装置の明るさを調整可能にした場合に、発光装置の輝度が低くなり過ぎることにより遊技の興趣が低下するのを防止できるようにすることにある。」
　
　　ウ　「【００７１】
　また、演出制御装置３００には、
遊技盤３０
に設けられているＬＥＤ（発光ダイオード）を有する盤装飾装置４２を駆動制御する盤装飾ＬＥＤ制御回路３３２
　
　　エ　「【００７９】
　
ＬＥＤ制御装置３３２（３３３）は、上記各ダイオード列に接続されたオープンドレインの電流引き込みトランジスタＱ０，Ｑ１，Ｑ２……Ｑ１５からなるドライバ回路３４１
メイン制御回路３４３
・・・
【００８２】
　図８には、図５に示すＬＥＤ制御装置３３２（３３３）および盤装飾装置４２の第２の変形例が示されている。
　この変形例は、ＬＥＤ制御装置３３２（３３３）を構成するメイン制御回路３４３に、
直列接続のダイオード
ダイオード列
【００８３】
　この変形例では、ＬＥＤ電源装置３４９は、例えば、
４個のダイオード列
３個のダイオード列
２個のダイオード列
　なお、
盤装飾装置４２の各ダイオード列
複数のダイオード列のうち
直列のダイオードの数が異なるものごとに出力電圧の異なるＬＥＤ電源装置を設ける
　
　上記ア〜エの記載事項、及び、図面の図示内容を総合勘案すると、刊行物２には、次の発明（以下「刊行物２発明」という。）が記載されていると認められる（ａ１〜ｆ１は、本願発明のＡ〜Ｆに対応させて付与した。）。
　
「ａ１　遊技の進行を管理する遊技制御手段を備えた遊技機において（【請求項１】）、
ｂ１　盤装飾装置４２には、複数のＬＥＤ（発光ダイオード）が、４個のダイオード列、３個のダイオード列、２個のダイオード列として直列接続され（【００７９】、【００８２】、【００８３】、【図８】）、
ｃ１　メイン制御回路３４３、ドライバ回路３４１を含み、ＬＥＤ（発光ダイオード）を駆動制御するＬＥＤ制御装置３３２と（【００７１】、【００７９】）、
ｅ１　オープンドレインの電流引き込みトランジスタＱ０…Ｑ１５からなるドライバ回路３４１に、各ダイオード列が接続され（【００７９】）、
ｆ１　複数のダイオード列のうち、直列接続されるダイオードの数が異なるものごとに出力電圧の異なるＬＥＤ電源装置を設けた（【００８２】、【００８３】）
　遊技機。」
　
　（３）対比
　本件補正発明と刊行物発明とを対比する（対比にあたっては、本件補正発明の構成Ａ〜Ｅと刊行物発明の構成ａ〜ｅについて、それぞれ（ａ）〜（ｅ）の見出しを付して行った。）。
　　（ａ）刊行物発明における「ゲーム内容が制御される」ことは、本件補正発明における「遊技を行う」ことに相当する。
　したがって、刊行物発明における構成ａの「遊技機」は、本件補正発明における構成Ａの「遊技機」に相当する。
　
　　（ｂ）刊行物発明における「トップＬＥＤ４０、アングルＬＥＤ６０、サイドＬＥＤ１３０」は、本件補正発明における「複数の発光手段」に相当する。
　したがって、刊行物発明における構成ｂの「トップＬＥＤ４０、アングルＬＥＤ６０、サイドＬＥＤ１３０」と、本件補正発明における構成Ｂの「可動部材に用いられる複数の発光手段」とは、「複数の発光手段」である点で共通する。
　
　　（ｃ）刊行物発明における構成ｃの「ＬＥＤ回路１１３」は、「複数の電飾器３２を電飾信号に応じた内容で発光させる」ものである。
　そして、構成ｂより「複数の電飾器３２」は、「トップＬＥＤ４０、アングルＬＥＤ６０、サイドＬＥＤ１３０」を有するものである。
　また、「電飾制御回路１１２」は、「電飾信号の設定結果をＬＥＤ回路１１３に送信する」ものである。
　したがって、「電飾制御回路１１２」、「ＬＥＤ回路１１３」は、本件補正発明における構成Ｃの「発光手段の発光を制御する発光制御手段」に相当する。
　
　　（ｄ、ｄ１）刊行物発明における「赤色系ＬＥＤ素子４７、緑色系ＬＥＤ素子４８、青色系ＬＥＤ素子４９」は、本件補正発明における「赤、緑、青のそれぞれの光を発する複数の発光素子」に相当する。
　そして、刊行物発明における「搭載されるＬＥＤ基板１２２に対して直交する照明光を、ＬＥＤカバーの中心点に向って投射する」ことは、本件補正発明における「実装される基板への実装面に対して交差する方向に光を照射する」ことに相当する。
　したがって、刊行物発明における構成ｄ、ｄ１の「赤色系ＬＥＤ素子４７、緑色系ＬＥＤ素子４８、青色系ＬＥＤ素子４９が、パッケージ４１に形成される凹部５６に一直線上に配置され、搭載されるＬＥＤ基板１２２に対して直交する照明光を、ＬＥＤカバーの中心点に向って投射するトップＬＥＤ４０」と、本件補正発明における構成Ｄ，Ｄ１の「赤、緑、青のそれぞれの光を発する複数の発光素子がそれぞれを頂点に三角形を形成するように配置され、実装される基板への実装面に対して交差する方向に光を照射する第１発光手段」とは、「赤、緑、青のそれぞれの光を発する複数の発光素子が」「配置され、実装される基板への実装面に対して交差する方向に光を照射する第１発光手段」である点で共通する。
　
　　（ｄ、ｄ２）刊行物発明における「パッケージ１３１に形成される凹部１４６に一直線上に配置され」ることは、本件補正発明における「一方向に並ぶように配置され」ることに相当する。
　そして、刊行物発明における「搭載されるＬＥＤ基板１２２に対して平行な照明光を、ＬＥＤカバー１２１のレンズ１２３に照射する」ことは、本件補正発明における「実装される基板への実装面に対して沿う方向に光を照射する」ことに相当する。
　したがって、刊行物発明における構成ｄ、ｄ２の「サイドＬＥＤ１３０」は、本件補正発明における構成Ｄ、Ｄ２の「第２発光手段」に相当する。
　
　　（ｅ）刊行物発明の「複数の電飾器３２」は、その各々が「ＬＥＤ回路１１３」に接続されるものである。
　そして、構成ｂ、ｃより、刊行物発明における「複数の電飾器３２を電飾信号に応じた内容で発光させるＬＥＤ回路１１３」は、電飾器３２が有する「トップＬＥＤ４０、アングルＬＥＤ６０、サイドＬＥＤ１３０」を「電飾信号に応じた内容で発光」制御するものであるから、本件補正発明における構成Ｃの「発光手段の発光を制御する発光制御手段」に相当する。
　また、情報処理の技術分野において、回路装置への電子素子の接続を接続端子を介して行うことは、当業者における技術常識である（必要ならば、特開２０１１−２５０９６７号公報の【０１４０】、【０１４２】、【図１２】の多色ＬＥＤ−７０５、７０６を接続するための第５ＬＥＤドライバのＬＤｒ５に設けられたＯＵＴ０バー〜ＯＵＴ７バーや、特開２０１２−１６１３４９号公報の【０１４８】、【０１５９】、【図３０】のフルカラーＬＥＤを接続するためのＬＥＤドライバ８３に設けられた出力端子ＯＵＴ４〜６、８〜１０、１２〜１４を参照。）。
　したがって、刊行物発明は、「複数のＬＥＤ」の「ＬＥＤ回路１１３」への接続を、接続端子を介して行っていることは明らかである。
　よって、刊行物発明における構成ｅの「電飾器３２を構成する複数のＬＥＤが、各電飾器３２単位で、ＬＥＤ回路１１３に接続され」ることは、本件補正発明における「複数の発光手段を接続することができる接続端子を有」することに相当する。
　
　よって、両者の一致点および相違点は、次のとおりである。
［一致点］
「Ａ　遊技を行う遊技機であって、
Ｂ　複数の発光手段と、
Ｃ　前記発光手段の発光を制御する発光制御手段とを備え、
Ｄ　前記発光手段は、
Ｄ１’赤、緑、青のそれぞれの光を発する複数の発光素子が配置され、実装される基板への実装面に対して交差する方向に光を照射する第１発光手段と、
Ｄ２　赤、緑、青のそれぞれの光を発する複数の発光素子が一方向に並ぶように配置され、実装される基板への実装面に対して沿う方向に光を照射する第２発光手段とを含み、
Ｅ　前記発光制御手段は、複数の前記発光手段を接続することができる接続端子を有する
　遊技機。」
　
［相違点１］（構成Ｂ）
　複数の発光手段が、本件補正発明は、可動部材に用いられるのに対して、刊行物発明は、そのような構成を有しない点。
　
［相違点２］（構成Ｄ１）
　実装される基板への実装面に対して交差する方向に光を照射する第１発光手段における、赤、緑、青のそれぞれの光を発する複数の発光素子の配置が、本件補正発明は、それぞれを頂点に三角形を形成するような配置であるのに対して、刊行物発明は、そのような構成を有しない点。
　
［相違点３］（構成Ｆ）
　本件補正発明は、接続端子において直列に接続された発光手段の数に応じて、発光手段に供給される電圧が異なる構成を備えるのに対して、刊行物発明は、そのような構成を有するか不明である点。
　
　（４）当審の判断
　　　ア　相違点１（Ｂ）について
　上記相違点１について検討する。
　遊技機の技術分野において、演出効果を高めるために可動部材の内部にＬＥＤ等の発光手段を設けることは本願出願前に周知の技術事項である（例えば、特開２０１３−２３３２４２号公報の【００８５】、【図３】に、演出を効果的に行うために、内部にＬＥＤ基板４１、７１を設けた可動部材５０について記載され、
　特開２０１２−２１７４９３号公報の【００４４】〜【００５２】、【図３】、【図６】に、内部にＬＥＤを配設した可動体６１〜６３を、遊技演出に応じて往復回動させることについて記載されている。以下「周知の技術事項１」という。）。
　そして、刊行物発明の「電飾器３２」は、構成ｃによると、「物語り調のアニメーション画面を光で演出する演出器に相当する」ものであるから、刊行物発明と上記周知の技術事項１とは、内部にＬＥＤを設けた演出装置を備える遊技機である点で共通する。
　また、刊行物発明は、「電飾器３２」による演出効果を高めるという自明の課題を内在するものであるから、刊行物発明と上記周知の技術事項１とは、演出装置の演出効果を高めるという共通の課題を解決するものである。
　したがって、刊行物発明の「電飾器３２」に上記周知の技術事項１を適用して、「電飾器３２」を内部にＬＥＤ等の発光手段を設けた可動部材に置き換えて、上記相違点１に係る本件補正発明の構成とすることは、当業者が容易になし得たものである。
　
　　　イ　相違点２（Ｄ１）について
　上記相違点２について検討する。
　照明装置一般の技術分野において、３色のＲＧＢ素子により発光される光の混色性を高め、均一な白色光を得るために、ＲＧＢ素子を三角形の頂点に位置するように配置させ、かつ、基板への実装面に対して直交する方向に光を照射するＬＥＤを光源として用いることは、本願出願前に周知の技術事項である（例えば、特開２００８−２８１７１号公報の【０００１】、【０００５】、【００１２】、【００１８】、【００２９】、【図３】、【図５】に、ＲＧＢ各色光の混色性を高めて均一な白色光を得るために、各色のＬＥＤチップを、それぞれ、三角形の各頂点上に位置するように配線基板１３上に実装した、照明装置に用いる発光ダイオードについて記載され、
　特開２００７−２６６５９０号公報の【００１１】、【００１２】、【００１９】〜【００２０】、【００２７】、【図２】〜【図３】、【図４】Ａに、ＲＧＢ各色光の混色性を高めて均一な白色光を得るために、各色のＬＥＤチップを、三角形の各頂点上に位置するように配線基板上に配置した、照明に用いる発光ダイオードについて記載されている。以下「周知の技術事項２」という。）。
　そして、刊行物発明と上記周知の技術事項２とは、ＬＥＤを光源として用いる照明装置に関する点で共通する。
　また、刊行物発明は、「電飾カバーを少数のＬＥＤで均一に照明することができる電飾装置を提供する」（【０００６】）ことを目的とするものである。
　したがって、刊行物発明と上記周知の技術事項２とは、照明に用いるＬＥＤにより均一な光を得るという共通の課題を解決するものである。
　よって、刊行物発明の「トップＬＥＤ４０」に、上記周知の技術事項２を適用して、「赤色系ＬＥＤ素子４７、緑色系ＬＥＤ素子４８、青色系ＬＥＤ素子４９」を三角形の頂点に位置するように配置させ、上記相違点２に係る本件補正発明の構成とすることは、当業者が容易になし得たものである。
　
　　　ウ　相違点３（Ｆ）について
　上記相違点３について検討する。
　ここで、本件補正発明の構成Ｅ、Ｆと刊行物２発明の構成ｅ１、ｆ１とを対比する。
　（ｅ）刊行物２発明における「各ダイオード列」は、その各々が「オープンドレインの電流引き込みトランジスタＱ０…Ｑ１５からなるドライバ回路３４１」に接続されるものであり、
　そして、情報処理の技術分野において、回路装置への電子素子の接続を接続端子を介して行うことは、当業者における技術常識である（上記（３）ｅを参照。）。
　したがって、刊行物２発明における構成ｅ１の「ドライバ回路３４１のオープンドレインの電流引き込みトランジスタＱ０…Ｑ１５を介して、各ダイオード列を接続す」ることは、本件補正発明における構成Ｅの「発光制御手段は、複数の発光手段を接続することができる接続端子を有」することに相当する。
　
　（ｆ）上記（ｅ）より、刊行物２発明において、「複数のダイオード列」は、「接続端子」を介して「ドライバ回路３４１」に接続されるものである。
　そして、刊行物２発明における「直列接続されるダイオードの数が異なるものごとに出力電圧の異なるＬＥＤ電源装置を設け」ることは、本件補正発明における「直列に接続された発光手段の数に応じて、発光手段に供給される電圧が異なる」ことに相当する。
　したがって、刊行物２発明の構成ｆ１は、本件補正発明の構成Ｆに相当する。
　
　また、上記「ア　相違点１（Ｂ）について」において指摘したように、刊行物発明は、「電飾器３２」による演出効果を高めるという自明の課題を内在するものである。
　一方、刊行物２発明は、「遊技の興趣が低下するのを防止できるようにする」という課題を解決するものである。
　したがって、刊行物発明と刊行物２発明とは、遊技者の興趣を向上させるという共通の課題を解決するものである。
　
　よって、刊行物発明における「トップＬＥＤ４０、アングルＬＥＤ６０、サイドＬＥＤ１３０」の駆動に、刊行物２発明を適用して、接続端子に直列接続されるＬＥＤの数に応じて、印加する電圧を異ならせるようにし、上記相違点３に係る本件補正発明の構成とすることは、当業者が容易になし得たものである。
　
　　　エ　請求人の主張について
　請求人は、平成２９年１１月２１日付け審判請求書において、本件補正発明について、本件補正発明は、「構成Ｅ１，Ｆ１を備えることで、本願の当初図面の図９に示された基板からも明らかなように、「基板全体を薄くモジュール化することができるため、当該基板を組み込んだ製品をコンパクト化することができる」という特有の効果を有しています。しかしながら、引用文献１および引用文献２には、「基板を組み込んだ製品をコンパクト化するために、基板全体を薄くモジュール化する」という技術思想は開示されていません。すなわち、ＬＥＤ素子の配置に応じてどのような方向に光を照射させるかという点について考慮されておらず、上記のような技術思想が開示されていない以上は、引用文献１に記載の発明に引用文献２に記載の事項を組み合わせて構成Ｅ１，Ｆ１のようにする動機づけが存在しないものと思料致します。」（第６頁第１８〜２８行）と主張する。
　
　そこで、請求人の上記主張について検討する。
　刊行物発明は、構成ｂより、「ＬＥＤ基板１２２」に、「トップＬＥＤ４０、アングルＬＥＤ６０、サイドＬＥＤ１３０」をまとめて「搭載する」ことにより、「ＬＥＤ基板１２２」全体を薄く構成し、それにより、「ＬＥＤ基板１２２を有する複数の電飾器３２」の全体をコンパクト化したものといえる。
　また、平成２９年７月１１日付け手続補正についての平成２９年８月２４日付け補正却下の決定において引用された、刊行物に記載された発明としての上記刊行物発明は、請求人が審判請求書においてＦ１と分説した本件補正発明の構成Ｆ１（審決においてＤ２と分説した本件補正発明の構成）を備えるものである。
　一方、請求人が審判請求書においてＥ１と分説した本件補正発明の構成Ｅ１（審決においてＤ１と分説した本件補正発明の構成）については、本件補正発明と刊行物発明との相違点２として抽出し、相違点２については、上記「イ　相違点２（Ｄ１）について」において検討したように、刊行物発明の「トップＬＥＤ４０」に、上記周知の技術事項２を適用して、「赤色系ＬＥＤ素子４７、緑色系ＬＥＤ素子４８、青色系ＬＥＤ素子４９」を三角形の頂点に位置するように配置させることにより、当業者が容易になし得たものである。
　したがって、請求人の上記主張を採用することはできない。
　
　　　オ　小括
　本件補正発明により奏される効果は、刊行物発明、刊行物２発明、上記周知の技術事項１〜２、及び、技術常識から当業者が予測できる効果の範囲内のものであって、格別なものではない。
　よって、上記ア〜エにおいて検討したとおり、本件補正発明は、刊行物発明、刊行物２発明、上記周知の技術事項１〜２、及び、技術常識に基づいて当業者が容易に発明をすることができたものであるから、特許法第２９条第２項の規定により、特許出願の際に独立して特許を受けることができないものである。
　
　（５）まとめ
　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成２９年３月６日付け手続補正書により補正された特許請求の範囲の請求項１に記載されたとおりのものであるところ、本願発明（記号Ａ〜Ｆは、分説するため当審で付した。）は、次のとおりのものと認める。
「Ａ　遊技を行う遊技機であって、
Ｂ’複数の発光手段と、
Ｃ　前記発光手段の発光を制御する発光制御手段とを備え、
Ｄ　前記発光手段は、
Ｄ１’赤、緑、青のそれぞれの光を発する複数の発光素子が第１配置で配置されている第１発光手段と、
Ｄ２’赤、緑、青のそれぞれの光を発する複数の発光素子が前記第１配置と異なる第２配置で配置されている第２発光手段とを含み、
Ｅ　前記発光制御手段は、複数の前記発光手段を接続することができる接続端子を有し、
Ｆ　前記接続端子において直列に接続された前記発光手段の数に応じて、前記発光手段に供給される電圧が異なる、遊技機。」
　
　２　拒絶の理由（平成２９年５月８日付け）
　原査定の拒絶の理由は、
「（進歩性）この出願の請求項１〜６に係る発明は、本願の出願前に日本国内において、頒布された下記の引用文献１に記載された発明、引用文献２に示された周知の技術事項、及び、引用文献３に示された周知の技術事項に基づいて、その出願前にその発明の属する技術の分野における通常の知識を有する者が容易に発明をすることができたものであるから、特許法２９条２項の規定により特許を受けることができない。」というものである。
　
　　　　　　　　　　　　　記
　引用文献１：特開２０１３−１５８５９４号公報
　引用文献２：特開２００７−２７３８９８号公報（周知例として引用）
　引用文献３：特開２０１３−１５８５０６号公報（周知例として引用）
　
　３　刊行物に記載された事項
　前記「第２　３（２）（２−２）刊行物２に記載された事項」に記載したとおり、刊行物２には、次の刊行物２発明が記載されている。
「ａ１　遊技の進行を管理する遊技制御手段を備えた遊技機において（【請求項１】）、
ｂ１　遊技盤３０に設けられている盤装飾装置４２には、複数のＬＥＤ（発光ダイオード）が、４個のダイオード列、３個のダイオード列、２個のダイオード列として直列接続され（【００７９】、【００８３】、【図８】）、
ｃ１　メイン制御回路３４３、ドライバ回路３４１を含み、ＬＥＤ（発光ダイオード）を駆動制御するＬＥＤ制御装置３３２と（【００７１】、【００７９】）、
ｅ１　ドライバ回路３４１のオープンドレインの電流引き込みトランジスタＱ０…Ｑ１５を介して、各ダイオード列を接続し（【００７９】）、
ｆ１　複数のダイオード列のうち、直列接続されるダイオードの数が異なるものごとに出力電圧の異なるＬＥＤ電源装置を設けた（【００８３】）
　遊技機。」
　
　　４　対比
　本願発明と刊行物２発明とを対比する（対比にあたっては、本願発明の構成Ａ〜Ｆと刊行物２発明の構成ａ１〜ｆ１について、それぞれ（ａ１）〜（ｆ１）の見出しを付して行った。）。
　
　（ａ１）刊行物２発明における「遊技の進行を管理する遊技制御手段を備え」ることは、本願発明における「遊技を行う」ことに相当する。
　したがって、刊行物２発明における構成ａ１の「遊技機」は、本願発明における構成Ａの「遊技機」に相当する。
　
　（ｂ１）刊行物２発明における「複数のＬＥＤ」は、本願発明における「複数の発光手段」に相当する。
　したがって、刊行物２発明における構成ｂ１は、本願発明における構成Ｂ’に相当する。
　
　（ｃ１）刊行物２発明における「ＬＥＤ（発光ダイオード）を駆動制御する」ことは、本願発明における「発光手段の発光を制御する」ことに相当する。
　したがって、刊行物２発明における構成ｃ１の「ＬＥＤ制御装置３３２」は、本願発明における構成Ｃ１の「発光制御手段」に相当する。
　
　（ｅ１）前記「第２　３（４）ウ　相違点３（Ｆ）について（ｅ）」と同様に、刊行物２発明の構成ｅ１は、本願発明における構成Ｅに相当する。
　
　（ｆ１）前記「第２　３（４）ウ　相違点３（Ｆ）について（ｆ）」と同様に、刊行物２発明の構成ｆ１は、本願発明における構成Ｆに相当する。
　
　よって、両者の一致点および相違点は、次のとおりである。
［一致点］
「Ａ　遊技を行う遊技機であって、
Ｂ’複数の発光手段と、
Ｃ　前記発光手段の発光を制御する発光制御手段とを備え、
Ｅ　前記発光制御手段は、複数の前記発光手段を接続することができる接続端子を有し、
Ｆ　前記接続端子において直列に接続された前記発光手段の数に応じて、前記発光手段に供給される電圧が異なる、遊技機。」
　
［相違点］（構成Ｄ〜Ｄ２’）
　発光手段に関し、本願発明は、赤、緑、青のそれぞれの光を発する複数の発光素子が第１配置で配置されている第１発光手段と、赤、緑、青のそれぞれの光を発する複数の発光素子が第１配置と異なる第２配置で配置されている第２発光手段とを含むのに対して、刊行物２発明は、そのような構成を有するか不明である点。
　
　５　当審の判断
　上記相違点（構成Ｄ〜Ｄ２’）について検討する。
　まず、本願発明における「赤、緑、青のそれぞれの光を発する複数の発光素子」に関する、構成Ｄ１’の「第１配置」、構成Ｄ２’の「第２配置」には、本件補正発明における構成Ｄ１の「複数の発光素子がそれぞれを頂点に三角形を形成するよう」な配置、構成Ｄ２の「一方向に並ぶよう」な配置以外にも、様々な配置を含むものである。
　そして、照明装置の技術分野において、光源として用いる３色ＬＥＤについて、ＲＢＧ素子の配置を異ならせることは、本願の出願日前に周知の技術事項である（例えば、原査定の拒絶の理由で引用文献２として提示した特開２００７−２７３８９８号公報の【０００１】、【０００７】〜【０００９】に、照明の光源として用いられるＬＥＤアレイについて、ＬＥＤを構成する赤色発光ダイオード、緑色発光ダイオード、青色発光ダイオードからなる、各発光ダイオード部について、「一直線状に配置してもよく、三角形の頂点に配置してもよい。」ことが記載され、
　特開２００６−１５６１３０号公報の【００３０】、【図５】〜【図６】に、Ｒ色、Ｇ色、Ｂ色を発光する発光素子を光放射方向から見て三角形状に配置し、その三角形状の頂点を上方にして収納したパッケイジ（Ａ−１、Ａ−２）を上下が逆になるように配置し、「図６の図を正面から見て、パッケイジＡ−１のＸ線より下側の光半導体素子は、左からＢ色、Ｇ色と並んでいる。一方、パッケイジＡ−２のＸ線より上側の光半導体素子は、左からＢ色、Ｇ色と並んでいる。」ことが記載され、
　上記特開２００７−２６６５９０号公報の【００２７】、【図４】Ａに、ＲＧＢ各色のＬＥＤチップ１２Ｒ，１２Ｇ，１２Ｂを、それぞれ正三角形の各頂点上に位置するようして配置したＬＥＤチップ群１２について記載され、【００２８】、【図４】Ｂに、１つの赤色ＬＥＤチップ１２Ｒと２つの緑色ＬＥＤチップ１２Ｇと１つの青色ＬＥＤチップ１２Ｂとにより、一組のＬＥＤチップ群１２Ｍを構成し、ＲＧＢ各色間のＬＥＤチップ１２Ｒ，１２Ｇ，１２Ｂはそれぞれ正三角形を構成するように配置されたことについて記載されている。以下「周知の技術事項３」という。）。
　そして、刊行物２発明のＬＥＤを有する盤装飾装置４２と、上記周知の技術事項３の照明装置とは、ＬＥＤを有する照明装置である点で共通する。
　したがって、刊行物２発明の盤装飾装置４２の複数のＬＥＤに上記周知の技術事項３を適用して、ＲＢＧ素子の配置の異なるＬＥＤを含ませ、上記相違点に係る本願発明の構成Ｄ〜Ｄ２’とすることは、当業者が容易になし得たものである。
　また、本願発明により奏される効果は、刊行物２発明、及び、上記周知の技術事項３から当業者が予測できる効果の範囲内のものであり、新たな効果を奏するものとはいえない。
　よって、本願発明は、刊行物２発明、及び、上記周知の技術事項３に基づいて当業者が容易に発明をすることができたものである。
　
　６　むすび 
　以上のとおりであるから、本願発明は、特許法第２９条第２項の規定により特許を受けることができない。
　
　よって、結論のとおり審決する。